(57)【要約】【課題】刃物等を使用した犯罪に対して、一瞬にして防御と制圧とを同時にできる防犯器具を開発する。【解決手段】鉄棒の先端部の位置に、３本の鉄製パイプを、正面視１２０°の間隔をあけて、側面視、前方方向に約４５°の角度で、均等に溶接することにより鉄製の三股先端部を形成し、次いで、３本の鉄製パイプの先端には各々先端保護キャップを被せ、この鉄製の三股先端部を木製警杖、金属製警杖、または伸縮式警杖の先端に固定して取付けて三股警杖とする。【選択図】図１
2007113865.tif 000002
【特許請求の範囲】
【請求項１】
鉄棒の先端部の位置に、鉄製パイプ３本を、正面視１２０°の間隔をあけて、側面視、前方方向に約４５°の角度で、均等に溶接することにより鉄製の三つ股先端部を形成し、次いで、３本の鉄製パイプの先端には各々先端保護キャップを被せ、この三股先端部を警杖の先端に固定して取付けたことを特徴とする三股警杖。
【請求項２】
鉄棒の先端部の位置に、鉄製パイプ３本を、正面視１２０°の間隔をあけて、側面視、前方方向に約４５°の角度で、均等に溶接することにより鉄製の三つ股先端部を形成し、３本の鉄製パイプの先端に各々先端保護キャップを被せ、
この三股先端部を中間ポールに固定して取付け、
次いで、中間ポールを主ポールに伸長状態および伸縮状態に係合できるように取付け、
さらに、主ポールの後端には後端保護キャップを被せたことを特徴とする三股警杖。
【発明の詳細な説明】
【技術分野】
【０００１】
本発明は、鉄製の三股先端部を警杖の先端に固定して取付けた三股警杖に関するものである。
【背景技術】
【０００２】
従来の警棒は、棒状の警棒のみならず、径の異なる複数本の筒体を入れ子式に組合せて伸縮可能とした伸縮式警棒が良く知られている。このものは、入れ子式の警棒本体を押し込めば全長を縮めることができるから、例えば腰に吊り下げても邪魔にならず、携帯性が非常に良い。
【０００３】
しかし、伸長しても棒状であるから、手で握って使用する際に、手や手首を相手の武器から保護することはできない。
そのために、鍔や各種のアタッチメントを取り付けることが提案されている。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−００７４６２号公報
【０００４】
一方、江戸時代から、犯人逮捕のために使用する刺す股がある。従来の刺す股は、柄がながく、刺す股を持った者が数人がかりで犯人に対処しなければ効果が期待できない。
そして、刺す股は、人間の中心部あたりに押しつけて使用する為に、犯人の凶器を持っている両手に対しては効果が無く、特に長物の凶器の場合、反対に攻撃される恐れがあるのが最大の欠点である。
また、警棒と刺す股とを組み合わせることも提案されている。図７参照。
【特許文献６】特開２００５−１４０４８６号公報
【０００５】
さらに、従来の警棒や刺す股は、アルミ製もしくは木製であるために、強度が弱い欠点がある。具体的には、従来の刺す股の強度は、約１５０Ｋｇ／ｃｍ２程度である。
【発明の開示】
【発明が解決しようとする課題】
【０００６】
解決しようとする問題点は、従来技術の欠点を改善し、刃物等を使用した犯罪に対して、一瞬にして防御と制圧とを同時にできる防犯器具を開発することである。
【課題を解決するための手段】
【０００７】
本発明は、鉄製の三股先端部を警杖の先端に固定して取付けて三股警杖としたことを最も主要な特徴とする。
警杖は、木製または金属製の任意の警杖でよく、特に金属製の伸縮式警杖が最適である。
【発明の効果】
【０００８】
本発明の三股警杖は、三股が鉄製であるために、強度が高く、刃物等を使用した犯罪に対して有効に対処でき、防御と制圧とを同時にできるという利点がある。
【発明を実施するための最良の形態】
【０００９】
警杖の先端に取付ける鉄製の三股先端部は、鉄棒の先端部の位置に、３本の鉄製のパイプを、正面視１２０°の間隔をあけて、側面視、前方方向に約４５°の角度で、均等に溶接することにより形成する。次いで、３本の鉄製パイプの先端には各々先端保護キャップを被せる。この鉄製の三股先端部を任意の警杖の先端に固定して取付けることにより、三股警杖を実現した。
【実施例】
【００１０】
実施例は、警杖として２段伸縮式警杖を使用し、その先端に鉄製の三股先端部を取付ける例である。
図１は、本発明に係る三股警杖の外観を示す平面図であって、Ａは伸長時の状態を示し、Ｂは伸縮時の状態を示すものである。
本発明に係る実施例の三股警杖は、三股先端部１、中間ポール部２、および主ポール部３からなる。
【００１１】
三股先端部１は、鉄棒４、３本の鉄製パイプ５、先端保護キャップ６、および三股先端部１を中間ポール部２へ固定するためのピン７からなる。
鉄棒４は、全長１０．０ｃｍ、直径２．７ｃｍであり、後端から３．５ｃｍの位置において、中心に直径０．１ｃｍの貫通孔ａを設け、ピン７を通すための穴とする。
鉄製パイプ５は、全長４６．０ｃｍ、直径１．５ｃｍ、内径１．２ｃｍ、厚さ０．３ｃｍである。この同一サイズの鉄製パイプ５の３本を、鉄棒４の先端から１．０ｃｍの位置に、正面視１２０°の間隔をあけて、側面視、前方方向に約４５°の角度で、均等に溶接する。
先端保護キャップ６は、鉄製パイプ５の先端を怪我等から防止するためのゴム製部材である。３本の鉄製パイプ５の先端に各々取付ける。
ピン７は、全長３．１ｃｍ、直径０．１ｃｍの鉄製のピンである。
三股先端部１の正面図を図２に示す。
また、三股先端部１の鉄製パイプ５先端に先端保護キャップ６を被せた状態を示す断面図を図３に示す。
【００１２】
中間ポール部２は、中間ポール８、および、中間ポール８を主ポール部３に係合する固定具９からなる。固定具９は、アルミ製ハウジング１０、係止具１１、およびバネ１２からなる。また、固定具９は、伸長時用と伸縮時用との２個を使用する。
中間ポール８は、全長７３．０ｃｍ、直径３．１ｃｍ、内径２．８ｃｍ、厚さ０．３ｃｍのアルミ製である。
中間ポール８の先端から１．５ｃｍの位置において、中心に直径０．１ｃｍの孔ｂを設け、ピン７を通すための穴とする。この孔ｂは三股先端部１を固定するためのものである。
また、中間ポール８の先端から９．５ｃｍの位置において、中心に直径０．８ｃｍの孔ｃを設け、係止具１１を通すための穴とする。この孔ｃは伸縮時に使用する。
さらに、中間ポール８の後端から１．０ｃｍの位置において、中心に直径０．８ｃｍの孔ｄを設け、係止具１１を通すための穴とする。この孔ｄは伸長時に使用する。
なお、中間ポール８の後端は、直径約３．２ｃｍ弱の経大部に加工しておく。
アルミ製ハウジング１０は、長手方向と直交する方向の中心に、係止具１１およびバネ１２を収容する直径０．９ｃｍの貫通孔ｅを設ける。
係止具１１は、全長２．０ｃｍ、直径０．８ｃｍのアルミ製棒であり、バネを係止するために、下部から０．８ｃｍの位置から上に向かって、厚さ０．１ｃｍ、直径０．９ｃｍのフランジ部を設ける。
バネ１２は、幅０．９ｃｍで、伸長時約２ｃｍ、伸縮時約１ｃｍとなる直径０．１ｃｍのスプリングである。
【００１３】
先ず、アルミ製ハウジング１０の貫通孔ｅに、係止具１１およびバネ１２をセットし、中間ポール８の孔ｃおよび孔ｄの２箇所に係合させる。
中間ポール８と固定具９との係合を示す正面断面図Ｃ、および長手方向断面図Ｄを図４に示す。
【００１４】
主ポール部３は、主ポール１３、グリップ１４、中間ポール８が抜け落ちるのを防止するためのストッパー１５、および後端保護キャップ１６からなる。
主ポール１３は、全長７３．０ｃｍ、直径３．５ｃｍ、内径３．２ｃｍ、厚さ０．３ｃｍのアルミ製である。
主ポール１３の先端から９ｃｍの位置において、中心に直径０．９ｃｍの孔ｆを設け、中間ポール８の係止具１１を通すための穴とする。この孔ｆは、中間ポール８の伸長時および伸縮時に使用する。
また、主ポール１３の後端から１．０ｃｍの位置において、中心に直径０．２ｃｍの孔ｇを上下２箇所に設け、ストッパー１６を通すための穴とする。この孔ｇは、中間ポール８が主ポール１３の後端から抜け出さないように、ストッパー１５を固定するためのものである。
グリップ１４は、先端から２．５ｃｍの位置から後方に５．８ｃｍの長さに亘って全周に設ける。また、後端から２．５ｃｍ位置から前方に５．８ｃｍの長さに亘って全周に設ける。グリップは、前記の２箇所に、切削加工により形成する。
なお、主ポール１３の先端から３．０ｃｍ程度を絞り加工により、内径約３．１ｃｍ弱の経細部に形成しておく。
ストッパー１５は、全長３．５ｃｍ、直径０．２ｃｍのアルミ製のピンである。
後端保護キャップ１６は、主ポール１３の最後端部に取付けるゴム製部材である。
【００１５】
本実施例における三股警杖の組立は、以下のとおりである。
（１）中間ポール部２の固定具９の係止具１１を押し込みながら、主ポール１３の後端から差し込む。
（２）次いで、三股先端部１の後部を中間ポール８の先端に５ｃｍ差し込み、鉄棒４の貫通孔ａと中間ポール８の上下２箇所の孔ｂとを合わせ、ピン７を上下に通してから、カシメて固定する。
三股先端部１と中間ポール８との固定状態の断面図を図５に示す。
（３）主ポール１３の上下２箇所の孔ｇにストッパー１５を通して、カシメて固定する。
次いで、主ポール１３の後端に後端保護キャップ１６を被せる。
主ポール１３の後端部の断面図を図６に示す。
【００１６】
以上のようにして組立た三股警杖は、中間ポール８の孔ｃにある係止具１１を主ポール１３の孔ｆに係合させると伸縮状態になり、また、中間ポール８の孔ｄにある係止具１１を主ポール１３の孔ｆに係合させると伸長状態になる。
【００１７】
前記のようにして完成した本発明の三股警杖は、以下に示す仕様を有する。
材質：金属製（三股先端部は鉄製、他の部分はアルミ製）
重量：１７００グラム
長さ：伸長時、１７６．５ｃｍ
伸縮時、１１４．５ｃｍ
直径：最大部（主ポール１３）、３．５ｃｍ
形状：２段伸縮式
強度：３００Ｋｇ／ｃｍ２以上
【００１８】
前記実施例においては、２段伸縮式警杖の先端に三股先端部１を取付ける例を示したが、警杖は鉄製の三股先端部１が取付けられる警杖であれば、どのようなものでも良いことは明らかである。また、取付け方法も実施例に限られるものではなく、公知の取付け方法が使用できることも明らかである。
【産業上の利用可能性】
【００１９】
本発明に係る三股警杖は、凶悪化する犯罪が増加するの中で、防御と制圧とを同時にできる防犯器具が無いに等しい現状で、尊い命を守るべき用途に提供することができる。
また、それのみならず、最近増えてきているクマ・イノシシ・サル等の危害からも、人の身を守ることができる。
【図面の簡単な説明】
【００２０】
【図１】本発明の三股警杖における伸長時の外観平面図Ａ、および伸縮時の外観平面図Ｂである。
【図２】本発明に係る三股先端部１の正面図である。
【図３】三股先端部１の鉄製パイプ５先端に先端保護キャップ６を被せた状態を示す断面図である。
【図４】中間ポール部２と固定具９との係合を示す正面断面図Ｃ、および長手方向断面図Ｄである。
【図５】三股先端部１と、中間ポール部２との固定状態を示す断面図である。
【図６】主ポール部３に後端保護キャップ１６を被せた状態を示す断面図である。
【図７】従来例の刺す股を組み込んだ警棒を示す説明図である。
【符号の説明】
【００２１】
１    三つ股先端部
２    中間ポール部
３    主ポール部
４    鉄棒
５    鉄製パイプ
６  先端保護キャップ
７  ピン
８  中間ポール
９  固定具
１０  アルミ製ハウジング
１１  係止具
１２  バネ
１３  主ポール
１４  グリップ
１５  ストッパー
１６  後端保護キャップ
ａ  鉄棒４の貫通孔
ｂ  三つ股先端部１を固定するために使用する中間ポール８の孔
ｃ  伸縮時用の係止具１１を通すために使用する中間ポール８の孔
ｄ  伸長時用の係止具１１を通すために使用する中間ポール８の孔
ｅ  アルミ製ハウジングの貫通孔
ｆ  中間ポール８の伸長時および伸縮時に使用する主ポール１３の孔
ｇ  ストッパー１５を固定するために使用する主ポール１３の孔
【図１】
2007113865.tif 000003
【図２】
2007113865.tif 000004
【図３】
2007113865.tif 000005
【図４】
2007113865.tif 000006
【図５】
2007113865.tif 000007
【図６】
2007113865.tif 000008
【図７】
2007113865.tif 000009
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
鉄棒の先端部の位置に、３本の鉄製パイプを、正面視１２０°の間隔をあけて、側面視、前方方向に約４５°の角度で、均等に溶接することにより鉄製の三つ股先端部を形成し、次いで、３本の鉄製パイプの先端には各々先端保護キャップを被せ、前記鉄製の三股先端部を警杖の先端に固定して取付けたことを特徴とする三股警杖。
【請求項２】
鉄棒の先端部の位置に、３本の鉄製パイプを、正面視１２０°の間隔をあけて、側面視、前方方向に約４５°の角度で、均等に溶接することにより鉄製の三つ股先端部を形成し、３本の鉄製パイプの先端に各々先端保護キャップを被せ、
次いで、金属製中間ポールを金属製主ポールに、伸長状態および伸縮状態に係合できるように取付け、また、前記鉄製の三股先端部を中間ポールの先端に固定して取付け、
さらに、主ポールの後端には後端保護キャップを被せたことを特徴とする三股警杖。
【手続補正書】
【提出日】平成18年7月13日(2006.7.13)
【手続補正１】
【補正対象書類名】明細書
【補正対象項目名】０００３
【補正方法】変更
【補正の内容】
【０００３】
しかし、伸長しても棒状であるから、手で握って使用する際に、手や手首を相手の武器
から保護することはできない。
そのために、鍔や各種のアタッチメントを警棒本体のグリップ部に取付ける特殊警棒が
提案されている。しかしながら、刃物を持った凶悪犯を制圧するには非常に危険である。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−０７４６９２号公報